(57)【要約】【課題】再生する動画の内容をより簡単に把握することができる画像再生装置を提供する。【解決手段】デジタルカメラ２は、撮影した動画から一定のフレーム間隔でフレーム画像を抽出して、この抽出したフレーム画像の数に応じてＬＣＤ１７の表示画面を分割し、抽出したフレーム画像を分割した表示画面に各々表示する。動画の撮影時間が２０秒である場合は、（Ａ）に示すように、２０秒／５秒＝４個の画像が分割して表示される。また、動画の撮影時間が２分である場合は、（Ｂ）に示すように、１２０秒／５秒＝２４個の画像が分割して表示される。そして、分割した表示画面に表示されたフレーム画像を選択して、選択したフレーム画像の位置から動画の再生を行う。【選択図】        図５
2004193635.tif 000002
【特許請求の範囲】
【請求項１】
複数のフレーム画像からなる動画を表示する画像表示手段を備えた画像再生装置において、
前記動画から一定のフレーム間隔で前記フレーム画像を抽出して、この抽出したフレーム画像の数に応じて前記画像表示手段の表示画面を分割し、抽出したフレーム画像を分割した表示画面に各々表示する表示制御手段と、
分割した表示画面に表示されたフレーム画像を選択して、選択したフレーム画像の位置から動画の再生を行う再生制御手段とを設けたことを特徴とする画像再生装置。
【請求項２】
前記画像表示手段は、前記フレーム画像が分割して表示されるインデックス画面と、動画が再生される再生画面とを同時に表示することを特徴とする請求項１に記載の画像再生装置。
【請求項３】
前記画像表示手段は、前記フレーム画像が分割して表示されるインデックス画面表示用と、動画が再生される再生画面表示用とからなることを特徴とする請求項１に記載の画像再生装置。
【発明の詳細な説明】
【０００１】
【発明の属する技術分野】
本発明は、複数のフレーム画像からなる動画を表示する画像表示手段を備えた画像再生装置に関する。
【０００２】
【従来の技術】
ＣＣＤイメージセンサなどで撮像した被写体画像をデジタルの画像データに変換し、内部メモリやメモリカードなどの記憶媒体に保存するデジタルカメラが普及している。デジタルカメラで撮影した静止画や動画は、カメラ本体の背面などに設けられた液晶表示器を介して、その場で鑑賞することができる。
【０００３】
撮影した動画を鑑賞する際に、ユーザーは再生する動画のどの部分にどのような内容が記録されているかが分からないため、最も重要な場面だけを鑑賞したい場合も動画の最初から観なければならず、非常に面倒であった。
【０００４】
上記不都合を解決するために、１つの動画のうちの複数の部分を静止画として取り出して、９分割した表示画面に各々表示し、この表示された静止画を選択して、選択した静止画の位置から動画を再生する画像再生装置が提案されている（特許文献１参照）。
【０００５】
【特許文献１】
特開平８−１８９２３号公報
【０００６】
【発明が解決しようとする課題】
しかしながら、特許文献１に記載される装置では、分割した静止画像が９個以上であった場合、複数の表示画面に渡って表示しているため、ユーザーが動画の全体像を把握するためには、表示画面をスクロールしなければならず、視認性、操作性の点で問題があった。
【０００７】
本発明は、再生する動画の内容をより簡単に把握することができる画像再生装置を提供することを目的とする。
【０００８】
【課題を解決するための手段】
上記目的を達成するために、本発明は、複数のフレーム画像からなる動画を表示する画像表示手段を備えた画像再生装置において、前記動画から一定のフレーム間隔で前記フレーム画像を抽出して、この抽出したフレーム画像の数に応じて前記画像表示手段の表示画面を分割し、抽出したフレーム画像を分割した表示画面に各々表示する表示制御手段と、分割した表示画面に表示されたフレーム画像を選択して、選択したフレーム画像の位置から動画の再生を行う再生制御手段とを設けたことを特徴とする。
【０００９】
なお、前記画像表示手段は、前記フレーム画像が分割して表示されるインデックス画面と、動画が再生される再生画面とを同時に表示することが好ましい。あるいは、前記画像表示手段は、前記フレーム画像が分割して表示されるインデックス画面表示用と、動画が再生される再生画面表示用とからなることが好ましい。
【００１０】
【発明の実施の形態】
本発明を実施したデジタルカメラの正面および背面概観を示す図１および図２において、デジタルカメラ２のカメラボディ１０の前面には、撮影レンズ１１を保持するレンズ鏡胴１２、ストロボ発光部１３、光学式ファインダ１４の対物窓１４ａ、録音用のマイク３９（図３参照）が配置される開口１５、およびレリーズボタン１６が設けられている。カメラボディ１０の背面には、光学式ファインダ１４の接眼窓１４ｂ、液晶表示器（ＬＣＤ）１７、操作部１８、ズームボタン１９、およびモードスイッチ２０が設けられている。また、カメラボディ１０の側面には、メモリカード４３（図３参照）が着脱可能なメモリスロットを覆う蓋（図示せず）が設けられている。
【００１１】
操作部１８は、電源のオン・オフ、撮影モードと再生モードとの切り換え、再生モード下での画像の選択や消去などを行う。操作部１８を操作してデジタルカメラ２の電源をオンとすると、レンズ鏡胴１２が沈胴位置から前方に突出した撮影位置にまで繰り出される。撮影レンズ１１はズーム式となっており、ズームボタン１９をテレ側またはワイド側に押圧操作することによってズーミングが行われる。
【００１２】
モードスイッチ２０は、撮影モード下において、静止画を撮影する静止画モードと、動画を撮影する動画モードとのいずれかを選択する際に操作される。静止画モード下でレリーズボタン１６を押圧操作すると、撮影レンズ１１の奥に配されたＣＣＤイメージセンサ（ＣＣＤ）３２（図３参照）で撮影された１フレーム分の画像の取り込みが行われ、得られた静止画の画像データがメモリカード４３に記録される。
【００１３】
動画モード下では、レリーズボタン１６を押圧操作すると、その時点よりＣＣＤ３２による動画の撮影が開始され、例えば１／３０秒毎に撮影が行われる。そして、レリーズボタン１６を再度押圧操作すると動画の撮影が停止される。得られた動画の画像データは、各フレーム毎にメモリカード４３に記録される。この動画モードでは、動画の撮影とともに、開口１５の奥に配されたマイク３９により音声の録音が行われる。得られた音声データは、動画の画像データに対応付けされてメモリカード４３に記録される。
【００１４】
光学式ファインダ１４は、撮影レンズ１１のズーミングに応じて観察可能な範囲が変化し、撮影範囲を観察することができる。ＬＣＤ１７は、撮影レンズ１１を通して撮影される被写体画像をリアルタイムで表示するいわゆる電子ビューファインダを構成するとともに、画像の再生時に使用される。
【００１５】
デジタルカメラ２の電気的構成を示す図３において、システムコントロ−ラ３０は、デジタルカメラ２の各部を統括制御する。入力部３１は、レリーズボタン１６、操作部１８、ズームボタン１９、およびモードスイッチ２０の操作に応じた操作信号をシステムコントローラ３０に送信する。システムコントローラ３０は、これらの操作信号に基づいて各部を制御し、撮影のためのシーケンスを実行する。
【００１６】
撮影レンズ１１の背後には、前述のようにＣＣＤ３２が配されている。ＣＣＤ３２は、光学的な被写体画像を電気的な撮影信号に変換して出力する。ＣＣＤ３２からの撮影信号は、アナログ処理回路３３に送信される。アナログ処理回路３３は、撮影信号にゲイン調整、γ処理などを施す。Ａ／Ｄ変換器３４は、アナログ処理回路３３で処理された撮影信号をＲＧＢの画像データに変換する。なお、画像データとしては、輝度、色差データ（ＹＣｒＣｂデータ）であってもよい。Ａ／Ｄ変換器３４でデジタル変換された画像データは、データ処理回路３５、ＡＥ処理回路３６、ＡＦ処理回路３７に送信される。
【００１７】
データ処理回路３５は、画像データに、ガンマ補正、解像度の変更、記録時のデータ圧縮や読み出し時のデータ伸張などの各種データ処理を施す。撮影モード下では、処理済みの画像データはＬＣＤドライバ３８に転送される。これにより、ＬＣＤ１７には、被写体画像がいわゆるスルー画像として表示される。
【００１８】
マイク３９は、動画モード下における音声を音声信号に変換して出力する。マイク３９からの音声信号は、アナログ処理回路４０に送信される。このアナログ処理回路４０は、音声信号の増幅やその増幅率の自動調整を行う。Ａ／Ｄ変換器４１は、アナログ処理回路４０からの音声信号をデジタルの音声データに変換する。Ａ／Ｄ変換器４１からの音声データは、データ処理回路３５に送信され、ここでデータ圧縮などが施される。
【００１９】
メディアコントローラ４２は、メモリスロットに装着されているメモリカード４３のデータの入出力を制御する。メモリカード４３には、静止画、動画像データ、および音声データが記録される。
【００２０】
ＡＥ処理回路３６は、Ａ／Ｄ変換器３４から出力される画像データに基づいて、露光量が適正となるようにシャッタ速度と絞り値とをフィードバック制御する。ＡＦ処理回路３７は、Ａ／Ｄ変換器３４からの画像データに基づいて、被写体のピント状態を検出し、適正なピント状態となるように図示しないフォーカスレンズの動作を制御する。
【００２１】
デジタルカメラ２では、撮影した動画から一定のフレーム間隔、例えば１５０フレーム＝５秒などでフレーム画像を抽出して、この抽出した場面を順に並べてＬＣＤ１７に表示するダイジェスト機能を有している。このダイジェスト機能は、撮影した動画の内容を一度に確認できるようにしたもので、抽出したフレーム画像の１つが選ばれると、その位置からの動画を再生するものである。また、このダイジェスト機能は、再生モード下においてメモリカード４３から撮影した動画像データを読み出した際に自動的に作動する。あるいは、操作部１８にてダイジェスト機能を選択した際に作動する。
【００２２】
ダイジェスト機能が作動すると、ＬＣＤ１７には図４に示すような分割画像５０が表示される。ＬＣＤ１７は、（Ａ）に示す最小２×２＝４個から、（Ｂ）に示す最大５×５＝２５個の分割画像５０が表示可能となっており、一定のフレーム間隔で抽出したフレーム画像の数に応じて表示画面が分割される。つまり、動画の撮影時間が２０秒である場合は、（Ａ）に示すように、２０秒／５秒＝４個の画像が分割して表示される。また、動画の撮影時間が２分である場合は、（Ｂ）に示すように、１２０秒／５秒＝２４個の画像が分割して表示される。なお、図示はしていないが、分割画像５０には、表示された順番に番号が付されている。また、図中太線で囲む部分は、分割画像５０を選択するためのカーソル５１を示し、このカーソル５１は操作部１８により上下左右に移動自在となっている。さらに、分割画像５０の個数が２５個以上である場合には、抽出するフレーム間隔を３００フレーム＝１０秒にするなど適宜変更することが可能である。
【００２３】
操作部１８によりカーソル５１を移動させ、希望の場面を示す分割画像５０を選択すると、選択した分割画像５０に対応する場面から再生が開始される。なお、ダイジェスト機能によって各場面が順に表示されている最中に、操作部１８によりカーソル５１を移動させ、希望の場面が表示されたところで再生を始めるようにしてもよい。
【００２４】
次に、上記構成による作用について説明する。デジタルカメラ２で動画を撮影する際には、操作部１８を操作して電源をオンした後、撮影モードを選択してモードスイッチ２０を動画モードに切り替える。光学式ファインダ１４またはＬＣＤ１７を通して被写体画像を確認しながら、レリーズボタン１６を押圧操作して動画の撮影を開始する。
【００２５】
ＣＣＤイメージセンサ３２が１／３０秒間隔で撮影を行い、次々に得られる各フレームの画像データをデータ処理回路３５に送信し、図示しないバッファメモリに書き込む。また、音声記録のためにマイク３９が作動し、得られた音声データをデータ処理回路３５のバッファメモリに書き込む。レリーズボタン１６を再度押圧操作して動画の撮影を終了すると、得られた動画データと音声データとは、データ処理回路３５でデータ圧縮されてからメディアコントローラ４２に送られ、メモリカード４３に記録される。
【００２６】
撮影した動画の内容を確認する際には、図５のフローチャートに示すように、操作部１８を操作して再生モードを選択し、ダイジェスト機能を作動させる。次に、内容を確認したい動画を選択してメモリカード４３からメディアコントローラ４２を介してデータ処理回路３５に読み出し、データ処理回路３５にて一定のフレーム間隔でフレーム画像を抽出する。そして、この抽出したフレーム画像の数に応じてＬＣＤ１７の表示画面を分割し、抽出したフレーム画像をデータ処理回路３５からＬＣＤドライバ３８に順次送信し、ＬＣＤ１７に各々表示する。
【００２７】
ＬＣＤ１７の分割画像５０の中から、希望の場面を示す分割画像５０を操作部１８により選択し、選択した分割画像５０に対応する場面から再生を開始させる。このようにすると、表示画面をスクロールするなどの煩雑な操作をすることなく、ユーザーが動画の内容を一度に把握することができる。
【００２８】
再生する動画の表示方法としては、ＬＣＤ１７全体に表示する他に、図６に示すように、ＬＣＤ１７の表示画面を、フレーム画像が分割して表示されるインデックス画面５２と、動画が再生される再生画面５３とに分け、これらを同時に表示するようにしてもよい。また、図７に示すように、インデックス画面５２を表示するインデックス画面表示用ＬＣＤ５４と、再生画面５３を表示する再生画面表示用ＬＣＤ５５とを設け、これらのＬＣＤ５４、５５で、インデックス画面５２と再生画面５３とを同時に表示するようにしてもよい。このようにすると、動画を再生しながら選択した分割画像５０の確認が行えるので、動画を再生する際の視認性を向上させることができる。なお、インデックス画面５２および再生画面５３の表示比率は、分割する画像の数などに応じて適宜変更可能である。
【００２９】
上記実施形態では、画像再生装置としてデジタルカメラを挙げて説明したが、他の画像再生装置、例えばＤＶＤプレイヤーなどにも本発明を適用することができる。
【００３０】
【発明の効果】
以上のように、本発明の画像再生装置によれば、動画から一定のフレーム間隔でフレーム画像を抽出して、この抽出したフレーム画像の数に応じて画像表示手段の表示画面を分割し、抽出したフレーム画像を分割した表示画面に各々表示する表示制御手段と、分割した表示画面に表示されたフレーム画像を選択して、選択したフレーム画像の位置から動画の再生を行う再生制御手段とを設けたので、再生する動画の内容をより簡単に把握することができる。
【００３１】
また、画像表示手段は、フレーム画像が分割して表示されるインデックス画面と、動画が再生される再生画面とを同時に表示する、あるいは、フレーム画像が分割して表示されるインデックス画面表示用と、動画が再生される再生画面表示用とからなるので、動画を再生する際の視認性を向上させることができる。
【図面の簡単な説明】
【図１】本発明を実施したデジタルカメラの正面概観図である。
【図２】デジタルカメラの背面概観図である。
【図３】デジタルカメラの電気的構成を示すブロック図である。
【図４】ダイジェスト機能を作動させたときのＬＣＤの表示画面を示す図であり、（Ａ）は４分割した場合、（Ｂ）は２５分割した場合をそれぞれ示す。
【図５】ダイジェスト機能の処理手順を示すフローチャートである。
【図６】動画を再生する際のＬＣＤの表示画面を示す図である。
【図７】本発明の別の実施形態を示す図である。
【符号の説明】
２  デジタルカメラ
１１  撮影レンズ
１６  レリーズボタン
１７  液晶表示器（ＬＣＤ）
１８  操作部
３０  システムコントローラ
３２  ＣＣＤイメージセンサ
３５  データ処理回路
３８  ＬＣＤドライバ
３９  マイク
４２  メディアコントローラ
４３  メモリカード
５０  分割画像
５２  インデックス画面
５３  再生画面
５４  インデックス画面表示用ＬＣＤ
５５  再生画面表示用ＬＣＤ
【図１】
2004193635.tif 000003
【図２】
2004193635.tif 000004
【図３】
2004193635.tif 000005
【図４】
2004193635.tif 000006
【図５】
2004193635.tif 000007
【図６】
2004193635.tif 000008
【図７】
2004193635.tif 000009